Podtech/llm-jp-corpus-v4-ja_patent huggingface dataset:
(57)【要約】【課題】  従来の点字ブロックの欠点を補うために、駅のホームでは、両乗降側に自動扉の機械装置を各駅に設置して対応策を施している。しかし、装置・工事費用、工事期間でのホーム使用中止等により全ての駅に導入するに、お金と時間が掛かる。【解決手段】上記点字ブロックにチップを埋め込み、その上を歩く方が、小型のレシーバを携行し、道路上のチップとレシーバを介し、イヤホーンを通して、耳に音で、聴覚に通路情報、日本語通話、又音信号により歩く方に知らせる。【選択図】図１
2018041424.tif 000002
【特許請求の範囲】
【請求項１】
点字ブロックにチップを埋め込み、その上を歩く方が、小型のレシーバーを携行し道路上のチップとレシーバーを介して、イヤホーンから、耳に音で、聴覚に、通路情報を１．言葉２．音信号  により、歩く方に知らせる。
【請求項２】
危険個所を避けて歩行することが可能な点字ブロック誘導ｅａｒｐｈｏｎｅである。
【発明の詳細な説明】
【技術分野】
【０００１】本発明は、黄色の点字ブロック上を歩行する歩行者が、交差／Ｔ字／Ｌ字路での進む方向指示、危険個所での警報、位置情報を、小型レシーバーを携行し、ｅａｒｐｈｏｎｅを通して耳に音で聴覚に、道路情報を日本語通話、音信号により歩行者に知らせる
【背景技術】
【０００２】従来の点字ブロックには、目の不自由な方が駅構内、歩道に沿っての歩行時、他に注意を向けたとき、逸らされたとき、目的の方向を見失い道に迷う状況に陥る、又は、危険個所での事故に遭遇するという危険が潜んでいる。のが現状です。
【発明の概要】
【発明が解決しようとする課題】
【０００３】以上に述べた従来の点字ブロックの欠点を補うために、駅のホームでは、両乗降側に自動扉の機械装置を各駅に設置して対応策を施している。しかし、装置・工事費用、工事期間でのホーム使用中止等により全ての駅に導入するに、お金と時間が掛かる。
【課題を解決するための手段】
【０００４】そして、上記点字ブロックにチップを埋め込み、その上を歩く方が、小型のレシーバを携行し、道路上のチップとレシーバを介し、イヤホーンを通して、耳に音で、聴覚に通路情報、日本語通話、又音信号により歩く方に知らせる。
【発明の効果】
【０００５】上述したように本発明の点字ブロック誘導ｅａｒｐｈｏｎｅ危険箇所を避けて歩行することが可能である。
【図面の簡単な説明】
【０００６】
【図１】本体
【発明を実施する為の形態】
【０００７】以下、本説明の実施の形態を図１に基づいて説明する。
【図１】
2018041424.tif 000003
(57)【要約】【課題】  乱視の矯正は、従来レンズの屈折を利用して矯正されているが重くて使い勝手が悪い。それを解決するために簡単な構造体で軽量かつ安価に生産できることを目的とする。【解決手段】  乱視の矯正をレンズ本体屈折では無く線状の偏光体により修正する。【選択図】図１
2018041050.tif 000002
【特許請求の範囲】
【請求項１】
レンズ本体に偏光体を取り付けることにより光の屈折を変えて収差を小さくすることを特徴とした簡単に目の矯正ができるレンズ。
【請求項２】
前記偏光体の断面は円形又は多角形であることを特徴とした請求項１記載の簡単に目の矯正ができるレンズ。
【請求項３】
前記偏光体の形状は線状あって縦、横、斜め、格子状又その併用も問わないことを特徴とした請求項１、又は請求項２に記載の簡単に目の矯正ができるレンズ。
【請求項４】
前記偏光体を介することにより角膜への不規則な光の入射を変化させ乱視の矯正ができることを特徴とした請求項１〜３記載の簡単に目の矯正ができるレンズ。
【請求項５】
前記偏光体はレンズの外側又は内側レンズの厚みの内部中間に設けたことを特徴とした請求項１〜４記載の簡単に目の矯正ができるレンズ。
【発明の詳細な説明】
【技術分野】
【０００１】眼鏡のレンズの矯正に関する構造。
【背景技術】
【０００２】  従来の乱視の矯正用レンズはレンズ本体の光による屈折を利用したもので対応していた。
【発明の概要】
【発明が解決しようとする課題】
【０００３】乱視の矯正をレンズに線状の偏光体をまつ毛の間隔のように細かく導入することで光の屈折を利用し、その屈折で矯正する。
【課題を解決するための手段】
【０００４】請求項１〜５に記したレンズを提供する。
【発明の効果】
【０００５】従来のレンズと比較し、重量が軽くかつ安価に生産をするができる。
【図面の簡単な説明】
【図１】  眼鏡の全体を表した構造図
【図２】  レンズの断面図
【図３】  偏光体の断面図
【発明を実施するための形態】
図１のようにレンズの内部に偏光体を設置する構造をとっている。
具体的には図に示した複数本の並行線を間隔置いて配置するが、その並行線は縦、横、斜めどちらでも良く、また、格子状にしても良い。
【実施例】本発明のレンズは図１に示すように図２の眼鏡のレンズｂ−２にｂ−１の偏光体をレンズの内部に設置する偏光体ｂ−１の形状は図３の（１）及び（２）に示した如くその断面形状が円形又は三角形に形成してあるが、多角形でも良い。
本構造は眼鏡やコンタクトレンズに応用することが出来る。
【符号の説明】ａ−１    眼鏡本体
ｂ−１    偏光体
ｂ−２    眼鏡のレンズ
【図１】
2018041050.tif 000003
【図２】
2018041050.tif 000004
【図３】
2018041050.tif 000005
(57)【要約】【課題】本発明は、発熱量のばらつきが少ないシーズヒータを提供するものである。【解決手段】  金属製のパイプ２と、パイプ２内に挿通され両端を直線としたヒータ線直線部４ａを有したヒータ線コイル４と、ヒータ線直線部４ａと接続する場所に電極棒突起部３ａを有した電極棒３と、パイプ２内とヒータ線コイル４との間に充填した粉末の絶縁体とを備えたものである。【選択図】  図３
2018041631.tif 000002
【特許請求の範囲】
【請求項１】
金属製のパイプと、
該パイプ内に挿通され両端を直線としたヒータ線直線部を有したヒータ線コイルと、
前記ヒータ線直線部と接続する場所に電極棒突起部を有した電極棒と、
前記パイプ内と前記ヒータ線コイルとの間に充填した粉末の絶縁体とを備えたことを特徴とするシーズヒータ。
【発明の詳細な説明】
【技術分野】
【０００１】
本発明は、調理器具、暖房機器、液体加熱器などの熱源として使用されるシーズヒータに関するものである。
【背景技術】
【０００２】
従来のこの種のシーズヒータは、安全性が高くかつ耐食性に優れていることから一般の電気調理器や暖房機器、電気温水器等の熱源として幅広く使用されている。
【０００３】
従来技術の特許文献１に示すシーズヒータは、コイル状の電熱線とターミナルピンとの接続において、ターミナルピンの端部にコイル状の電熱線の端部を挿入し、この挿入部の電熱線の端部の一部をターミナルピンの端部にスポット溶接して接続している。
【０００４】
そのためシーズヒータは、電熱線の両端のターミナルピンと溶接された区間の抵抗値で消費電力が確定し、同区間の電熱線が発熱している。
【先行技術文献】
【特許文献】
【０００５】
【特許文献１】特開平７−２９６７１号公報
【発明の概要】
【発明が解決しようとする課題】
【０００６】
上記したシーズヒータにおいて、ターミナルピンの端部に挿入された電熱線の端部のスポット溶接では、この挿入部の電熱線の端部を全て溶接出来ない場合、電熱線をシーズヒータのパイプに挿入し、パイプと電熱線との間に粉末の絶縁材を挿入してシーズヒータを完成した場合、前記溶接が出来ていない部分の状態が前記粉末の絶縁材によってターミナルピンの端部に押しつけられた状態と、押し付けられない状態が生じ、電熱線の抵抗値のばらつきとなっていた。
【課題を解決するための手段】
【０００７】
本発明は、上記従来の課題を解決するためになされたものであり、金属製のパイプと、該パイプ内に挿通され両端を直線としたヒータ線直線部を有したヒータ線コイルと、前記ヒータ線直線部と接続する場所に電極棒突起部を有した電極棒と、前記パイプ内と前記ヒータ線コイルとの間に充填した粉末の絶縁体とを備えたものである。
【発明の効果】
【０００８】
本発明は、上記のような構成にしたことにより、電極棒とヒータ線コイルの接合部の接触による抵抗値のばらつきが低減され、シーズヒータの発熱量のばらつきの低減が図れる。
【図面の簡単な説明】
【０００９】
【図１】本発明のシーズヒータ本体を示す図。
【図２】本発明における電極棒とヒータ線コイルの接合部の上面図。
【図３】図２のＡ−Ａ側面の断面図。
【発明を実施するための形態】
【００１０】
以下、本発明の一実施例について図面を用いて詳細に説明する。
【００１１】
図１は、本発明におけるシーズヒータ本体を示す図、図２は、電極棒とヒータ線コイル接合部の上面図、図３は、図２のＡ−Ａの側面の断面図である。
【００１２】
本発明において、電極棒３の一端部側に平面状に施した電極棒先端平面部３ｂを設け、この電極棒先端平面部３ｂには軸方向と垂直に突起の電極棒突起部３ａを２箇所以上設けている（図では２カ所設けたものである）。
【００１３】
またヒータ線コイル４は、両側の端部を直線状のヒータ線直線部４ａを残して巻き回されたものである。
【００１４】
そして、図示していない金属製のパイプ２に前記接続したヒータ線コイル４を挿入して、パイプ２と、ヒータ線コイル４と電極棒３の電極棒先端平面部３ｂとの間に粉末の絶縁材（図示無し）を挿入後に前記パイプ２を減径し、端部処理を施すことでシーズヒータ１を製造する。
【００１５】
上記した本実施例によれば、電力を受ける電極棒３とヒータ線コイル４の接合部が常に一定の状態となり、溶接等によるヒータ線コイル４の抵抗値のばらつきが低減され、それに伴いシーズヒータ１の発熱量（消費電力）のばらつきの低減が図れる。
【符号の説明】
【００１６】
１  ：シーズヒータ
２  ：パイプ
３  ：電極棒
３ａ：電極棒突起部
３ｂ：  電極棒先端平面部
４  ：ヒータ線コイル
４ａ：  ヒータ線直線部
【図１】
2018041631.tif 000003
【図２】
2018041631.tif 000004
【図３】
2018041631.tif 000005
(57)【要約】【課題】  飛び出しカードの飛び出しパーツと背面台紙を繋ぎ、飛び出しパーツを引き起こすためのブリッジパーツを無くしたスッキリ構造の飛び出しカードを提供する。【解決手段】折りカードの底面台紙と平行に床面台紙を設け、床面台紙上に飛び出しパーツの位置を定めて切り込みを開け、真下の位置の底面台紙にも切り込みを開け、飛び出しパーツを床面台紙の切り込みから差し込み、更に底面台紙の切り込みを貫通するように差し込むことにより、折りカードを開くと飛び出しパーツが起き上がる、ブリッジパーツを無くしたスッキリ構造の飛び出しカード。【選択図】図１
2018025729.tif 000002
【特許請求の範囲】
【請求項１】
折りカードの底面台紙と平行に床面台紙を設け、床面台紙上に飛び出しパーツの位置を定めて切り込みを開け、真下の位置の底面台紙にも切り込みを開け、飛び出しパーツを床面台紙切り込みから差し込み、更に底面台紙の切り込みを貫通するように差し込むことにより、折りカードを開くと飛び出しパーツが起き上がる、ブリッジパーツを無くしたスッキリ構造の飛び出しカード。
【発明の詳細な説明】
【技術分野】
【０００１】  本発明は、飛び出しカードの飛び出しパーツと背面台紙を繋ぎ、飛び出しパーツを引き起こすためのブリッジパーツを無くしたスッキリ構造の飛び出しカードに関するものである。
【背景技術】
【０００２】    従来、飛び出しカードの基本構造の一つに、飛び出しパーツの底を折りカードの底面台紙に固定すると共に、飛び出しパーツの背と背面台紙を連結するブリッジパーツを設けるタイプがある。折りカードを開くとブリッジパーツが飛び出しパーツを引き起こす構造である。
飛び出しカードの完成デザインとしてはブリッジパーツは見せたくないパーツである。しかし、飛び出しパーツを起こすためには完成デザインを犠牲に仕方なく使用していた。
【発明の開示】
【発明が解決しようとする課題】
【０００３】  そのために、次のような問題点があった。
（イ）ブリッジパーツが完成デザインを阻害させていた。
飛び出しパーツが複数の場合はブリッジパーツも共に増えるため、ブリッジパー        ツが更に目立ち、完成デザインの支障になった。
（ロ）飛び出しパーツが複数の場合、ブリッジパーツを含め部品点数が多くなり、組立        てが複雑であった。
（ハ）ブリッジパーツの長さは飛び出しパーツから背面台紙の距離のため、複数の飛び        出しパーツの場合は、ブルッジパーツの長さをそれぞれにに設定しなくてはなら        ず複雑化していた。
本発明は以上の問題点を解決しようとするものである。
【課題を解決するための手段】
【０００４】  折りカードの底面台紙と平行に床面台紙を設け、床面台紙上に飛び出しパーツの位置を定めて切り込みを開け、真下の位置の底面台紙にも切り込みを開ける。そして、飛び出しパーツを床面台紙の切り込みから差し込み、更に底面台紙の切り込みを貫通するように差し込み固定する。折りカードを開くと床面台紙が飛び出しパーツが起き上がる。以上を特徴とするブリッジパーツを無くしたスッキリ構造の飛び出しカードである。
【発明の効果】
【０００５】  本発明は、飛び出しカードのブリッジパーツを無くし、床面台紙にデザインをすることにより、本来のイメージに近いデザインの飛び出しカードになる。
また、飛び出しパーツが複数の場合、部品点数が少なくなり、設計および組立てが簡素化できる。
【発明を実施するための最良の形態】
【０００６】  以下、本発明の実施の形態を説明する。
（イ）折りカードの底面台紙（１）と平行になる床面台紙（２）を設け、床面台紙（２        ）を折りカードの底面台紙（１）および背面台紙（３）に固定する。
（ロ）床面台紙（２）面上に飛び出しパーツ（４）の設置位置を定め、飛び出しパーツ        （４）の差し込み用の切り込み（５）を開ける。
（ハ）床面台紙（２）面上の切り込み（５）の垂直下の位置の底面台紙（１）面上にも        飛び出しパーツ（４）の差し込み用の切り込み（６）を開ける。
（ニ）飛び出しパーツ（４）を床面台紙（２）面上の切り込み（５）に差し込み、更に        底面台紙（１）面上の切り込み（６）まで差し込み、貫通し固定する。
本発明は、以上の構成よりなっている。
本発明を使用するときは、折りカードをゆっくり開くと床面台紙（２）が飛び出しパー  ツ（４）を引き起こし、飛び出しカードとなる。
【図面の簡単な説明】
【０００７】
【図１】本発明の飛び出しカードの縦開きタイプの斜視図
【図２】本発明の飛び出しカードの横開きタイプの斜視図
【図３】従来の飛び出しカードの縦開きタイプの斜視図
【図４】従来の飛び出しカードの縦開きタイプの斜視図
【符号の説明】
【０００８】１    底面台紙
２    床面台紙
３    背面台紙
４    飛び出しパーツ
５    床面台紙面上の切り込み
６    底面台紙面上の切り込み
７    ブリッジパーツ
【図１】
2018025729.tif 000003
【図２】
2018025729.tif 000004
【図３】
2018025729.tif 000005
【図４】
2018025729.tif 000006
(57)【要約】【課題】将来墓の撤去や遺骨の移動などの不安のある方、一代限りの墓または短期間の利用を希望される方、自分の遺志を墓に込めたい方、また自然に還ることにこだわりのある方に対して、墓の撤去や遺骨の移転が容易で環境負荷のかからない、最後には墓と遺骨が全て土に還ることのできる墓を提供する。【解決手段】「木」などのように、有害物質を排出せずに焼却可能または、自然に朽ち果てる素材のみで作られたモニュメントと基壇で墓を構成する。またモニュメント中に遺骨収納室を、基壇下部に地中納骨穴に通じる開閉口を設けることで、同一の墓で遺骨の保管と地中埋葬を可能にする。【選択図】図１
2018025081.tif 000002
【特許請求の範囲】
【請求項１】
「木」などのように、有害物質を排出せずに焼却可能または、自然に朽ち果てる素材のみで作られたモニュメントと基壇で構成されたことを特徴とする自然回帰墓。
【請求項２】
前記モニュメント中に遺骨収納室を、前記基壇下部に地中納骨穴に通じる開閉口を設けることで、同一の墓で遺骨の保管と地中埋葬が可能なことを特徴とする請求項１記載の自然回帰墓。
【発明の詳細な説明】
【技術分野】
【０００１】  この発明は、「木」などのように、有害物質を排出せずに焼却可能または、自然に朽ち果てる素材のみで作られたモニュメントと基壇で作成された「墓」に関するものである。
【背景技術】
【０００２】  従来の墓は代々続くものという考えのもと、一般的な材質としては耐久性のある石製であり、重量物であるがゆえ、事故防止のため頑丈な造りになっており、移転や撤去が容易ではない。【０００３】  従来の墓は骨壷に入れた遺骨をカロートと呼ばれるコンクリート製の納骨室に納めるため、遺骨が土に還ることができない。
【先行技術文献】
【特許文献】
【０００４】
【特許文献１】  特開２００６−２００３３０号公報
【特許文献２】  特開２０１３−２４９７２２号公報
【特許文献３】  実開平６−８５８７２号公報
【発明の概要】
【発明が解決しようとする課題】
【０００５】  御影石などのような高価で貴重な石を大量に使用するため採石地では自然破壊と資源の枯渇が起こっている。【０００６】  後継者がいないなどの理由で、やむを得ず墓を撤去するには、墓石の撤去と処分を伴うため、撤去費用が高額になる。【０００７】  撤去された石材は硬くて重く、そのままでは自然に還りにくく、粉砕処理するにも費用と時間がかかるため、不法投棄され環境破壊を引き起こしていることが多い。【０００８】  地震などの災害で倒壊する墓が多く、倒壊後破損した石製の重量物は容易に修復できない。【０００９】  石室に骨壷を納骨するタイプの墓では、遺骨が自然に還ることができない。【００１０】  石室が湿気で充満しており、骨壷の中やカロートに水が溜まっていることがあり、骨壷を取り出す必要がある時には、水抜きや乾燥の必要がある。【００１１】  墓の基壇に土の部分があると雑草が生える。【００１２】  従来の墓は永代使用を前提条件にしているため、一代限りあるいは短期間の利用ができない。
本発明は、以上のような欠点をなくすためになされたものである。
【課題を解決するための手段】
【００１３】  「木」などのような有害物質を排出せずに焼却可能、または自然に朽ち果てる素材で墓標に見立てたモニュメントを作成し、モニュメントの内部に遺骨を納める空洞を設ける。【００１４】  「木」などのような有害物質を排出せずに焼却可能、または自然に朽ち果てる素材で墓地を覆い、その一部に土中に掘られた納骨穴に通じる開閉口を設ける。
本発明は、以上の構成よりなる納骨室を内臓した自然回帰墓である。
【発明の効果】
【００１５】  素材が自然回帰容易な材料で加工が容易なため、製作時と廃棄時に環境への負荷が少なく、墓と遺骨が全て土に還ることができる。【００１６】  石材と比較して撤去作業が容易であり土に還すことも焼却することもできる。【００１７】  地震で破損する心配がなく、万一倒れても安全ですぐに修復できる。【００１８】  モニュメント中で遺骨をそのまま保管することも、土中に埋葬して土に還すことも自由に選択できる。【００１９】  モニュメント内に遺骨を保管すれば、移転する時の取り出しが容易である。【００２０】  基壇の底面全体が木などのような素材で覆われているので雑草が生えない。【００２１】  移転や撤去が容易なため、使用期間の変更が自由にできる。【００２２】  墓の引越しは石材の墓のように分解する必要がなくそのまま持ち運べるので、容易に行える。モニュメント内に遺骨を保管してあれば、遺骨の移転も容易である。【００２３】  素材が加工容易なため、利用者自身でオリジナルデザインすることも、故人の遺志などを刻むことも容易。モニュメントの作り変えも可能。
【図面の簡単な説明】
【００２４】
【図１】  本発明の実施例の使用状態を示した斜視図である。
【図２】  本発明の実施例の正面図である。
【図３】  本発明の実施例の平面図である。
【発明を実施するための形態】
【００２５】  以下、本発明の実施の形態について説明する。
モニュメントの形および素材は基本的には利用者の好みで選べるが、石と肩を並べて日本人が信仰の対象としてきた「木」を素材とし、形も日本人に馴染みで親しみの湧く「地蔵菩薩」をモニュメントにした実施例につき説明する。
１つの台座３に墓標に見立てた「地蔵菩薩」のモニュメント５を乗せる。台座３には「○○家の墓」などの銘を刻み、モニュメント５の内部には、遺骨収納室４が設けられているので、しばらくは遺骨のままで供養したい場合は、ここに納骨する。骨壷は使わず木製の容器か布袋を使用する。後に共同墓地へ移す、あるいは散骨する必要が生じた場合は、遺骨を取り出す。
基壇２は底面と柵の部分で構成され、底面には土中に掘られた地中納骨穴１に通じる開閉口が開けられているので、始めから土中に納骨したい場合は、ここから納骨する。この場合も骨壷は使わず木製の容器か布袋を使用する。
材質は全て、「木」などのような有害物質を排出せずに焼却可能または、自然に朽ち果てる素材で作られているので、最後には何も残さずに土に還ることができる。
当実施例で示した「地蔵菩薩」の自然回帰墓は、代々墓、個人墓、夫婦墓、両家墓、共同墓全てに適合する。
【００２６】    １  地中納骨穴
２  基壇
３  台座
４  遺骨収納室
５  モニュメント
【図１】
2018025081.tif 000003
【図２】
2018025081.tif 000004
【図３】
2018025081.tif 000005
(57)【要約】【課題】ウォッチャーチューブの潰れを抑えつつ車両に対して固定することができる保持具を提供する。【解決手段】保持具１０は、ウォッシャーチューブＴ１，Ｔ２同士を接続するジョイント部２１、該ジョイント部２１と一体構成とされて車体側に取り付けるためのアンカー部２２とを有する。【選択図】図２
2018025226.tif 000002
【特許請求の範囲】
【請求項１】
ウォッシャーチューブ同士を接続するジョイント部、該ジョイント部と一体構成とされて車体側に取り付けるためのアンカー部とを有することを特徴とする保持具。
【発明の詳細な説明】
【技術分野】
【０００１】
本発明は、ケーブルやウォッシャーチューブを保持する保持具に関する。
【背景技術】
【０００２】
従来、バンドグリップなどの保持具では、ワイヤーハーネス等のケーブルを結束して車両（車両ボディ）に固定するものが知られている（例えば、特許文献１参照）。
図３に示すように、保持具１００では、ケーブルＣの他、ウォッシャー液を通すためのウォッシャーチューブＴをケーブルＣとともにまとめて束ねる場合がある。
【先行技術文献】
【特許文献】
【０００３】
【特許文献１】特開平９−２５０５１５号公報
【発明の概要】
【発明が解決しようとする課題】
【０００４】
しかしながら、１つの保持具１００でケーブルＣとウォッシャーチューブＴとをまとめて束ねる場合、ウォッシャーチューブＴに対して所定の締め付け力が付加されるためウォッシャーチューブＴが潰れる虞がある。
【０００５】
本発明は、上記課題を解決するためになされたものであって、その目的は、ウォッチャーチューブの潰れを抑えつつ車両に対して固定することができる保持具を提供することにある。
【課題を解決するための手段】
【０００６】
上記課題を解決する保持具は、ウォッシャーチューブ同士を接続するジョイント部、該ジョイント部と一体構成とされて車体側に取り付けるためのアンカー部とを有する。
この構成によれば、ウォッシャーチューブ同士を接続するジョイント部にアンカー部が取り付けられるため、ウォッシャーチューブに対して本保持具によってウォッシャーチューブＴに対して付与される締め付け力が抑えられるためウォッシャーチューブの潰れを抑えつつ車両に対して固定することができる。
【発明の効果】
【０００７】
本発明の保持具によれば、ウォッチャーチューブの潰れを抑えつつ車両に対して固定することができる。
【図面の簡単な説明】
【０００８】
【図１】一実施形態における保持具によるウォッシャーチューブ及びワイヤーハーネスを保持した状態を示す平面図。
【図２】同上における保持具とウォッシャーチューブを示す断面図。
【図３】参考例における保持具によるウォッシャーチューブ及びワイヤーハーネスを保持した状態を示す断面図。
【発明を実施するための形態】
【０００９】
以下、保持具の一実施形態について説明する。
図１に示すように、本実施形態の保持構造は、第１及び第２ウォッシャーチューブＴ１，Ｔ２を保持する保持具１０と、ウォッシャーチューブ（図では第２ウォッシャーチューブＴ２）とワイヤーハーネス等のケーブルＣとを束ねる結束部１１とを有する。
【００１０】
図１及び図２に示すように、保持具１０は、ジョイント部２１と、ジョイント部２１と一体形成されたアンカー部２２とを有する。
ジョイント部２１は、第１ウォッシャーチューブＴ１と第２ウォッシャーチューブＴ２との間に介在され、内部に設けられる貫通孔を介してウォッシャー液を通過することが可能となっている。
【００１１】
アンカー部２２は、図示しない車両（車両ボディ）に設けられた取付孔に対して挿通された状態で取付孔に対して固定されるものである。なお、アンカー部２２の構造は従来より周知の構造であるため詳細な説明を割愛する。
【００１２】
結束部１１は、例えば絶縁テープ（ＰＶＣテープ）などによってウォッシャーチューブＴ２とケーブルＣとを共に束ねるためのものである。
次に、本実施形態の保持構造の作用を説明する。
【００１３】
本実施形態の保持構造では、第１及び第２ウォッシャーチューブＴ１，Ｔ２間のウォッシャー液を通すことが可能なジョイント部２１と、アンカー部２２とが一体形成された保持具１０を用いている。このため、保持具１０によって第１及び第２ウォッシャーチューブＴ１，Ｔ２に対して締め付け力が与えられることが抑えられるため、ウォッシャーチューブＴ１，Ｔ２が潰れることを抑えられるようになっている。
【００１４】
また、結束部１１によってウォッシャーチューブＴ２とケーブルＣとが共に束ねられるため、車両ボディに対して配索しやすくなっている。
次に、本実施形態の効果を記載する。
【００１５】
（１）ウォッシャーチューブＴ１，Ｔ２同士を接続するジョイント部２１にアンカー部２２が取り付けられるため、ウォッシャーチューブＴ１，Ｔ２に対して本保持具１０によってウォッシャーチューブＴ１，Ｔ２に対して付与される締め付け力が抑えられるためウォッシャーチューブＴ１，Ｔ２の潰れを抑えつつ車両に対して固定することができる。
【００１６】
（２）ジョイント部２１とアンカー部２２とが一体形成されることで部品点数の増加を抑えることができる。
（３）ウォッシャーチューブ（第２ウォッシャーチューブＴ２）とワイヤーハーネス等のケーブルＣとを結束部１１で束ねた状態で保持具のアンカー部２２によって車体側に取り付けることでケーブルＣの車体側の固定も同時に行うことができる。
【００１７】
なお、上記実施形態は、以下のように変更してもよい。
・上記実施形態では、結束部１１によって第２ウォッシャーチューブＴ２とケーブルＣとを纏めて束ねる構成としたが、結束部１１によって第１ウォッシャーチューブＴ１とケーブルＣとを纏めて束ねる構成を採用してもよい。また、複数の結束部１１を用いて、第１ウォッシャーチューブＴ１とケーブルＣとを束ねるとともに、第２ウォッシャーチューブＴ２とケーブルＣとを束ねる構成を採用してもよい。
【００１８】
次に、上記実施形態及び別例から把握できる技術的思想を以下に追記する。
（付記１）
請求項１に記載の保持具と、該保持具と別体であって前記ウォッシャーチューブ及びケーブルとを束ねる結束部とを備えたことを特徴とする保持構造。
【００１９】
これにより、ウォッシャーチューブとワイヤーハーネス等のケーブルとを結束部で束ねた状態で保持具のアンカー部によって車体側に取り付けることでケーブルの車体側の固定も同時に行うことができる。
【符号の説明】
【００２０】
１０…保持具、１１…結束部、２１…ジョイント部、２２…アンカー部、Ｃ…ケーブル、Ｔ１，Ｔ２…ウォッシャーチューブ。
【図１】
2018025226.tif 000003
【図２】
2018025226.tif 000004
【図３】
2018025226.tif 000005
(57)【要約】【課題】スプール内部への異物の侵入を防止できる電磁比例弁を提供する。【解決手段】コイルを有する電磁部２と、スリーブ４内にスプール５およびスプール５の一端と接触するバネを有する弁部３と、を備える電磁比例弁１において、スプール５の内部に作動油が流通する通路６を電磁比例弁１の軸方向および径方向に設ける。径方向の通路６ｂの外部との開口部７にはフィルタ８を巻き付ける。径方向の通路６ｂの開口部７にフィルタ８を巻き付けることにより、開口部７からスプール５の外部へ作動油が排出される際に、異物がフィルタ８により捕捉される。【選択図】図１
2018025262.tif 000002
【特許請求の範囲】
【請求項１】
コイルを有する電磁部と、
スリーブ内にスプールおよび前記スプールの一端と接触するバネを有する弁部と、を備える電磁比例弁であって、
前記スプールの内部には油が流通する通路が前記電磁比例弁の軸方向および径方向に設けられており、
前記径方向の通路の開口部にはフィルタが取り付けられている
ことを特徴とする電磁比例弁。
【発明の詳細な説明】
【技術分野】
【０００１】
本発明は、自動車の変速機の作動油タンクに設置される電磁比例弁に関する。
【背景技術】
【０００２】
従来より自動車の自動変速機器などの油圧部品として、付属のコイルに通電することでタンク内の油量を制御できる電磁比例弁が多用されている。このような電磁比例弁は内部に作動油が常に出入りすることから作動油中の異物（コンタミ）が電磁比例弁内に混入するという問題があった。
【０００３】
このような問題に対して、特許文献１ではスリーブ外周部のフィルタを取り付けた電磁比例弁が開示されている。このような構成とすることで、作動油に混入した異物をスリーブ内に侵入することを防止することが説明されている。
【０００４】
また、特許文献２ではスリーブ内に装着されたスプールの内部にフィルタを取り付けた電磁比例弁が開示されている。スプール内部にフィルタを備えることで同様の効果が得られると説明されている。
【先行技術文献】
【特許文献】
【０００５】
【特許文献１】特開２０１２−２４７０２１号公報
【特許文献２】実開平２−２４１０６号公報
【発明の概要】
【発明が解決しようとする課題】
【０００６】
しかし、特許文献２に開示されている電磁比例弁では、すでにスプール内部に侵入した異物を取り除くことはできるが、スプール外部からスプール内部への、作動油に混入した異物の侵入を防止することはできないという問題があった。また、電磁比例弁がアキュムレータ（蓄圧機）への蓄圧／圧力開放を制御する目的の製品である場合には、蓄圧時に主弁を解さずアキュムレータへの蓄圧を行う機構となる。そのため、アキュムレータへの油の流入は必ずスプール内部を通るため、スプールから排出される作動油に異物を含んでいる場合にはアキュムレータ内へも異物が侵入するという問題もあった。
【０００７】
そこで、本発明においてはスプール内部への異物の侵入を防止し、同時にアキュムレータ内への異物の侵入を防止できる電磁比例弁を提供することを課題とする。
【課題を解決するための手段】
【０００８】
前述した課題を解決するために、本発明はコイルを有する電磁部と、スリーブ内にスプールおよびスプールの一端と接触するバネを有する弁部と、を備える電磁比例弁であって、スプールの内部には油が流通する通路が電磁比例弁の軸方向および径方向に設けられており、径方向の通路の開口部にはフィルタが取り付けられている電磁比例弁とする。
【発明の効果】
【０００９】
本発明は、電磁比例弁を構成するスプールについて、スプール内部には油が流通する通路が電磁比例弁の軸方向および径方向に設けられており、径方向の通路の開口部にはフィルタを取り付けらるので、スプール内部への異物の侵入を防止できるという効果を奏する。また、本発明の電磁弁がアキュムレータ（蓄圧機）に接続されている場合には、アキュムレータ内への異物の侵入を防止するという効果も奏する。
【図面の簡単な説明】
【００１０】
【図１】本発明の一実施形態である電磁比例弁１を構成する弁部３の一部断面図である。
【図２】本発明の別の実施形態である電磁比例弁１１の断面図である。
【図３】本発明の電磁比例弁１を構成するフィルタ８の展開図である。
【図４】図３に示すフィルタ８の一部拡大図である。
【発明を実施するための形態】
【００１１】
本発明の電磁比例弁の実施の形態の一例について図面を用いて説明する。図１は本発明の一実施形態である電磁比例弁１を構成する弁部３の一部断面図、図２は本発明の別の実施形態である電磁比例弁１１の断面図である。本発明の電磁比例弁１（１１）は主な構成として図１および図２に示すようにコイルを有する電磁部２（１２）と、スリーブ４（１４）内にスプール５（１５）およびスプール５（１５）の一端と接触するバネを有する弁部３（１３）と、を備えている。
【００１２】
また、スリーブ４（１４）内のスプール５（１５）の内部には油が流通する通路６（１６）が電磁比例弁１（１１）の軸方向６ａ（１６ａ）および径方向６ｂ（１６ｂ）に設けられている。そして、この径方向６ｂ（１６ｂ）の通路６（１６）の開口部７（１７）にはフィルタ８（１８）が巻き付けられている。図３は本発明の電磁比例弁１を構成するフィルタ８の展開図、図４は図３に示すフィルタ８の一部拡大図を示す。
【００１３】
電磁比例弁内に作動油が循環すると、当該作動油は図１に示す径方向の通路６ｂを経由した後、軸方向の通路６ａからスプール５の外部へ排出される。その際、作動油はフィルタ８を通過することで比較的に大きな異物はフィルタ８の網目に補足されるので、大きな異物がスプール５の外部へ排出されることを防止できる。また、作動油はスプール５の内部を通って、図示しないアキュムレータへ供給される場合には、フィルタ８を設置することによりアキュムレータ内への異物の侵入も同時に防止できる。
【００１４】
さらに、図２に示すように電磁比例弁１１内のスプール１５にワンウェイポートが内蔵されている場合も、図示しないアキュムレータからスプール１５へ向けて流入する作動油に異物が含まれていても、フィルタ１８を設置することでスプール１５内に異物が進入することを防止できる。
【符号の説明】
【００１５】
１、１１        電磁比例弁
２、１２        電磁部
３、１３        弁部
４、１４        スリーブ
５、１５        スプール
６、１６        通路
６ａ、１６ａ    軸方向の通路
６ｂ、１６ｂ    径方向の通路
７、１７        開口部
８、１８        フィルタ
【図１】
2018025262.tif 000003
【図２】
2018025262.tif 000004
【図３】
2018025262.tif 000005
【図４】
2018025262.tif 000006
(57)【要約】【課題】じゃんけんをする時、小さい子供から老人まで、室内外で一人でも多人数でも運動を兼ねて、じゃんけんが楽しく出来る用具を提供することを目的とする。          【解決手段】三方の持ち手部を有する星形形状で、各持ち手部の先端付近に、グー、チョキ、パーの表記をしたじゃんけん用具で、空に投げて、落ちてきて、掴んだ持ち手部の表記で、じゃんけんするようにしたことを特徴とするじゃんけん用具。【選択図】  図１
2018139643.tif 000002
【特許請求の範囲】
【請求項１】
三方の持ち手部を有する星形形状で、各持ち手部の先端付近に、グー、チョキ、パーの表記をしたじゃんけん用具で、空に投げて、落ちてきて、掴んだ持ち手部の表記で、じゃんけんするようにしたことを特徴とするじゃんけん用具。
【発明の詳細な説明】
【技術分野】
【０００１】
本発明は、室内外で安全で運動にもなるじゃんけん用具に関する。          
【背景技術】
【０００２】
従来じゃんけんは、手か絵を出してするじゃんけんがほとんどであつた。体を動かすこともなくじゃんけんの方法は限られていた。
【発明の概要】
【発明が解決しようとする課題】
【０００３】
従来のじゃんけんでは、動きが少なく静かで運動にならなく、見ている者も面白くなかった。
【課題を解決するための手段】
【０００４】
三方の持ち手部を有する星形形状で、各持ち手部の先端付近に、グー、チョキ、パーの表記をしたじゃんけん用具で、空に投げて、落ちてきて、掴んだ持ち手部の表記で、じゃんけんするようにしたことを特徴とするじゃんけん用具。
【発明の効果】
【０００５】
手と体を使って投げるので運動にもなる。うまく受け取る緊張感もあり、ボケ防止にもなり、右手、左手、どちらでも可能なので、リハビリも楽しく出来る。    
【図面の簡単な説明】
【０００６】
【図１】本発明のじゃんけん用具の構成
【発明を実施するための形態】
【０００７】
以下本発明のじゃんけん用具の構成について説明する。
三方の持ち手部を有する星形形状で、各持ち手部の先端付近に、グー、チョキ、パーの表記をしたじゃんけん用具で、空に投げて、落ちてきて、掴んだ持ち手部の表記で、じゃんけんするようにしたことを特徴とするじゃんけん用具である。
じゃんけん用具を空に向けて上に投げたり、相手に投げたりして、受け取った所の表記で、勝負する。
【産業上の利用可能性】
【０００８】
小さい子供から老人まで、一人でも多人数でも体を動かしてじゃんけんをやるので、本人も見ている人も楽しめる様に、発明したじゃんけん用具である。プロスポーツ選手が、サインをして観客に、投げ入れても安全でＰＲが出来ておもしろい。
【符号の説明】
【０００９】
１    じゃんけん用具    
２    持ち手
２１  グー表記
２２  チョキ表記
２３  パー表記
【図１】
2018139643.tif 000003
(57)【要約】      （修正有）【課題】ショ糖の発酵、尿素の分解ならびに重曹の化学反応などによって生成された炭酸ガスでロングレンジの誘引をはかり、ベルトヒーター加熱された着地壁の発する赤外線でショートレンジの誘引を図ることにより吸血昆虫を捕獲する。このとき、炭酸ガスと同時に生成されたアルコールやアンモニア等を除去し、継続して炭酸ガスを発生できる吸血性昆虫捕獲装置を提供する。【解決手段】電動ファン８の吸気によって吸血性昆虫を捕獲するとともに、この排気を水溶液に吹きかけることにより、生成した炭酸ガスや、それ以外の生成物も水蒸気とともに吹き飛ばし、これによって減少した水溶液をタンクよりフロート弁３を通して自動供給し連続的に炭酸ガス発生材料を供給する。【選択図】図１
2018139503.tif 000002
【特許請求の範囲】
【請求項１】
糖類、尿素、クエン酸など炭酸ガス発生物質ないし発生補助物質の水溶液を入れたタンクと炭酸ガス発生物質の分解ないし生成をおこなう炭酸ガス生成函を有し、この炭酸ガス生成函の中には、予め炭酸ガス発生部質に適した炭酸ガス発生促進物質を入れてあり、この生成函とこのタンクとがホースと液面保持器具を介して接続されており、この生成函には電動ファンにより発生した送気を補虫ネットを介して、この生成函に送り、この生成函内の水や生成物質を吹き飛ばす構造を有するとともに、この電動ファンにより発生した吸気を加温された着地壁を有しこの着地壁の周囲より吸気する構造を有する吸血性昆虫捕獲装置
【発明の詳細な説明】
【技術分野】
【０００１】
本発明は、蚊などの吸血性昆虫を効果的、かつ安全に捕獲する技術に関するものである。
【背景技術】
【０００２】
ヒトスジシマカ等の吸血性昆虫は、炭酸ガスに集まる習性があり、炭酸ガスを発生する装置として、プロパンガスを燃焼する装置、紫外線の光化学反応を用いる装置、ボンベ入り炭酸ガスを使用する装置、灯油を燃焼させる装置等を用いた吸血性昆虫捕獲装置が市販されている。
【先行技術文献】
【特許文献】
【０００３】
【特許文献１】US  ６１４５２４３
【特許文献２】特許第５８０７７３６号
【非特許文献】
【０００４】
【非特許文献１】荒木  修著  「蚊の科学」  日刊工業新聞社  2007年
【発明の概要】
【発明が解決しようとする課題】
【０００５】
特許文献に示される装置はプロパンガスや灯油を燃焼させて安価に炭酸ガスを発生しているが火災発生の心配がある。  ショ糖などの糖類を発酵させ炭酸ガスを発生させる場合や、尿素を分解させ炭酸ガスを発生させる場合には火災の心配はない。  しかし、このような炭酸ガス発生方法は、炭酸ガス発生源の水溶液を用いて炭酸ガスを発生させるため炭酸ガス生成過程で発生する炭酸ガス以外の生成物を効果的に除去しないと継続して炭酸ガスを発生できないという欠点がある。
【課題を解決するための手段】
【０００６】
本発明では、吸血性昆虫捕獲のための電動ファンによる風を炭酸ガス発生函内に吹き付けることにより、炭酸ガス生成時の水や、その他の生成物を蒸発、飛散することができた。
【発明の効果】
【０００７】
炭酸ガス発生のための新鮮なショ糖水溶液や尿素水溶液などの炭酸ガス発生物質の水溶液を供給可能とするこにより、連続運転を実現でき、吸血性昆虫を連続的、かつ効果的に捕獲できた。
【図面の簡単な説明】
【０００８】
【図１】図１は本発明装置の正面図である。
【発明を実施するための形態】
【０００９】
ショ糖水溶液、尿素水溶液、クエン酸水溶液などの炭酸ガス発生ないし発生補助物質の水溶液を入れた容器から連続的に炭酸ガス生成函に流し込む。  この炭酸ガス生成箱にはショ糖水溶液の場合には、酵母、尿素水溶液の場合にはウレアーゼ、クエン酸水溶液の場合には重曹水溶液を入れ、炭酸ガスの発生をはかる。
ショ糖水溶液の場合には、炭酸ガスならびにエタノールが生成するが、これらの生成物質は電動ファンの風により蒸発、飛散される。  これによりエタノール酸化で生ずる酢酸による酵母の死滅が防止できる。
尿素水溶液の場合には、炭酸ガスならびにアンモニアが生成するが、これらの生成物質も電動ファンの風により蒸発、飛散される。  
そのほかの炭酸ガス発生物質の水溶液でも新鮮な水溶液の供給が可能となり、吸血性昆虫を誘引する炭酸ガスを連続的に発生可能となる。
【実施例】
【００１０】
図１は、実施例の正面図であり、台５の上にショ糖、尿素、クエン酸など炭酸ガス発生物質ないし発生補助物質水溶液の入った容器６が設置されている。  容器６は炭酸ガス生成函１に取り付けられたフロート弁３と接続ホース４により接続されている。炭酸ガス生成函１の蓋９に開けられた孔１０の上部には電動ファン８が設置され、電動ファン８の排気側には補虫ネット７が取り付けられている。  電動ファン８の吸気側には補虫ホーン１１が設置されている。  電動ファンの上部には支柱１２が設置されており、この支柱12にはプレート１３が取り付けられている。  このプレート１３を覆うように筒状の着地壁１５および屋根１６が設けられている。  着地壁の内側にはベルトヒーター１４、温度調節器１７が取り付けらている。  これにより、  着地壁の温度が吸血性昆虫を誘引する赤外線を発する温度、摂氏約４０に加熱できる。
【００１１】
炭酸ガス生成函１に酵母、ウレアーゼ、重曹など炭酸ガス発生物質に適合した酵素や化学物質を入れた水を入れる。  電動ファン８および温度調節器１７を介したベルトヒーター１４に電源を投入すると電動ファン８の風により炭酸ガス生成函１で生成した炭酸ガス、アルコール、アンモニアなどの生成物や水は排気口２を通して飛ばされる。  炭酸ガスは、やぶ蚊などの吸血性昆虫を誘引する。  近づいた吸血性昆虫はベルトヒーター１４で加熱された着地壁１５の放射する赤外線を感知し、ここに着地し、吸血行動を起こす。  このときに電動ファン８による空気の流れで吸血性昆虫はバランスを崩し、補虫ホーン１１を経て補虫ネット７に捕獲される。  
【００１２】
電動ファン８によって水が一定量蒸発、飛散されると水面が下がり、フロート弁３により一定量の新鮮な水溶液が炭酸ガス生成函１に供給され、連続的に安定して炭酸ガスを発生させることができる。
【産業上の利用可能性】
【００１３】
ヒトスジシマカをはじめとする吸血性昆虫は、ジカ熱、デング熱、チクングニア熱、マラリア、西ナイル熱などの各種の病原を媒介する。  これらの吸血性昆虫を捕獲撲滅することが可能となり、これらの疾病の蔓延に対して有効である。
【符号の説明】
【００１４】
１    炭酸ガス生成函
２    排気口
３    フロート弁
４    接続ホース
５    台
６    容器
７    補虫ネット
８    電動ファン
９    蓋
１０    孔
１１    補虫ホーン
１２    支柱
１３    プレート
１４    ベルトヒーター
１５    着地壁
１６    屋根
１７    温度調節器 
【図１】
2018139503.tif 000003
(57)【要約】      （修正有）【課題】宇宙のエネルギー値の金銭換算金の抽出を行う。【解決手段】電磁流体発電を行う。電線に磁石をｎ個巻くと電力が５のｎ乗倍に増加する。電線に磁石を２個ないし３個巻けば、２５倍ないし１２５倍の電力が得られる。発電量の少ない地域の電線に、磁石を巻くと電力が増加して、多い電力が得られる。過疎地の電力確保に向く。【選択図】なし【特許請求の範囲】
【発明の詳細な説明】
2018139459.tif 000002
【手続補正書】
【提出日】平成29年6月16日(2017.6.16)
【手続補正２】
【補正対象書類名】特許請求の範囲
【補正対象項目名】全文
【補正方法】変更
【補正の内容】
2018139459.tif 000003
【手続補正４】
【補正対象書類名】明細書
【補正対象項目名】全文
【補正方法】変更
【補正の内容】
2018139459.tif 000004
(57)【要約】【課題】  シンク側面に設置し、首に装着して防水する洗い物用水はねガードクロスを提供する。【解決手段】  シンク側面に設置した防水クロスに取り付けたひもを首に装着し、胸部および腹部、また足下に飛び散る水で衣類や床が汚れるのを防ぐ洗い物用水はねガードクロス。【選択図】図１
2018112045.tif 000002
【特許請求の範囲】
【請求項１】
シンク側面に防水クロスを設置し、端に取り付けたひもを首に装着し、胸部および腹部、また足下に飛び散る水で衣類や床が汚れるのを防ぐ洗い物用水はねガードクロス。
【発明の詳細な説明】
【技術分野】
【０００１】  本発明は、シンクに取り付け、洗い物時に身につけて使用する、衣類が汚れないようにガードするものである。
【背景技術】
【０００２】  従来、板を取り付けることにより、水の飛沫を防ぐ用具があった（特許文献１参照）。また、ベルトで胴部に装着し衣服を防水するエプロンがあった（特許文献２参照）。
【先行技術文献】
【特許文献】
【０００３】
【特許文献１】特開２０１２−６７５７２号広報
【特許文献２】特開２００７−０３９８５５号広報
【発明の概要】
【発明が解決しようとする課題】
【０００４】それには次のような問題点があった。
（イ）シンクを使用するときに、常に板が妨げとなった。
（ロ）胴部に装着することで、腹部より上の飛沫は防ぐことが出来なかった。また、装着するまで何処かに収納し、使用時、取り出す必要があった。
本発明は、以上の問題点を解決するためのものである。
【課題を解決するための手段】
【０００５】  シンク側面に防水クロスを設置する。
端に取り付けたひもを首に装着し、胸部および腹部、また足下に飛び散る水で衣類や床が汚れるのを防ぐ。
【発明の効果】
【０００６】シンクに常に下げておくことで、準備することなく、すぐに装着できる。飛沫した水は、すべてシンク内に戻されるので、衣服や足下を濡らすことなく洗い物ができる。シンクにクロスを下げることで、キッチンを飾ることが出来る。板のように、作業を妨害することがない。
【図面の簡単な説明】
【０００７】
【図１】  本発明の斜視図である。
【発明を実施するための形態】
【０００８】以下、本発明の実施の形態について説明する。
（イ）５０〜６０ｃｍ角のクロス（１）の上部に収縮性のあるひも（２）を取り付け、ひもの両端に留め具（３）をつける。
（ロ）クロスの下部左右２箇所に縦１０ｃｍ程の切り込みを入れ、シリコン性のカバー（４）を取り付ける。
本発明は以上のような構成である。
本発明は吸盤（５）でクロスをシンクに固定した後、首に装着して使用する。
【符号の説明】
【０００９】  １  クロス
２  ひも
３  留め具
４  カバー
５  吸盤
【図１】
2018112045.tif 000003
(57)【要約】      （修正有）【課題】初期消火設備を、普及させ、消火施設、水道連結湿式、消火スプリンクラーの、シャワーヘッド取り付け金具までの、配管内の、水質保全のシャワーヘッド取り付け金具以後の、無駄な配管を必要としない、天井裏に常時生活用水を流す本管を、配置する事なく、管材、保温材、工事期間も、接続箇所も、施工費も、少なくする構成を提供する。【解決手段】通常使用されている、給水本管に、分岐配管し、一階天井、二階天井、まで配管し、消火用シャワーヘッドを取り付け、給水本管の必要個所に、規格三方継手を付け、停滞水防止継手を取り付け、内管を通しながら通常配管をする。停滞水防止継手を取り付けた三方継手以後、給水本管下流で、給水器具が開栓され、本管に流れが起きたとき、停滞水防止継手に組み込んだ内管に、負圧が発生、その負圧により枝管内の、循環を促す。【選択図】図１
2018112299.tif 000002
【特許請求の範囲】
【請求項１】
規格三方継手の分岐部に、差し込み取り付ける事により、負圧が発生し、発生した負圧を内管にて、規格三方継手の、分岐部に接続した管末まで導く継手。
【請求項２】
請求項１の継手と、三方継手を一体化した継手
【発明の詳細な説明】
【技術分野】
【０００１】本発明は、主として、水道連結消火設備等の、分岐管内の、停滞水を本流に、戻す装置である。
【背景技術】
【０００２】火災の初期消火装置として、自動で作動するスプリンクラー消火設備の、効果は絶大であるが、本来簡易型であるはずの、水道連結消火設備の、通常時の、水質保全の為の器具が、確立されておらず、施工は、簡易ではなかった。
【発明の概要】
【０００３】現在、市販設置されている、水道連結消火設備の、スプリンクラー取り付け装置は、水質保全の為、主水管を、天井附近に、直接、水平直列接続することを、強いられた。その上、スプリンクラー取り付け位置は、数センチ単位と、短く、配管の、自由度が無かった。
【０００４】  本考案は、本管より、シャワーヘッド取り付け部までの、停滞水、解消可能枝管長さを、数メートル単位に、飛躍させる考案である。
【発明が解決しようとする課題】  生活の為に、通常設置されている給水配管、例として、流し台、洗面所、洗濯室、トイレの洗浄装置、等の配管は、通常一階床下に配置、各器具に給水するのが望ましい。【０００５】一階床下給水本管より分岐、一階天井スプリンクラー、及び、二階天井スプリンクラーまで、単独、給水配管施工し、かつ、そのスプリンクラー用給水配管内の、停滞水を、解消する。
【課題を解決するための手段】
【０００６】  スプリンクラーの作動に十分な、水量、水圧の、有る給水本管に、スプリンクラー設置場所に近い位置に、規格分岐継手（４）を取り付け、その分岐部に、停滞水防止継手（１）の、本管接続部（２）を接続する。【０００７】停滞水防止継手（１）を、規格分岐継手（４）に取り付けた時、給水本管の、下流に向け曲げられた、内管（３）を、停滞水防止継手内面に（８）で、固定する。
内管（３）の、他の端は、認可された規格市販継手、管材の中を通り、スプリンクラー直前でカット、開口する。
【発明の効果】
【０００８】（イ）停滞水防止継手以外すべて規格承認品で施工できる。
（ロ）施工が簡略化し、初期消火設備の設置普及が早まる。
（ハ）設置義務の無い一般家庭でも簡単に設置でき、初期消火に、貢献できる。
（ニ）スプリンクラー用配管の自在度が増し、天井設計が楽になる。
（ホ）枝管の循環設備施工が簡単になり、給湯の速湯方式、給水管の凍結防止にもなる。
【図面の簡単な説明】
【０００９】
【図１】停滞水防止継手の概念図である。
【図２】停滞水防止継手使用の配管施工、断面概念図である。
【発明を実施するための形態】
【実施例１】
【００１０】充分な水量及び水圧が確保できる給水本管（５）の、必要個所に、規格分岐継手（４）を付け、停滞水防止継手（１）の、本管接続部（２）を、取り付ける。【００１１】停滞水防止継手（１）を取り付けた三方継手（４）の本管下流方向にむけ、内管（３）の、負圧発生部（６）をセット、確認する。【００１２】内管（３）の他の一方は、水道法、消防法、の承認部材の中を通しながら、壁内又は、室内露出方法をとり、スプリンクラーまで導く。【００１３】本発明、停滞水防止継手の、循環作用により、主水管を一階床下に収め、一階天井、及び、二階スプリンクラーに給水しても、給水管内の水質を確保できるため、配管工事の自在性が良い。
【符号の説明】１  停滞水防止継手
２  本管接続部
３  内管
４  規格分岐継手
５  給水本管
６  負圧発生部
７  枝管取り付け口
８  内管固定部
【図１】
2018112299.tif 000003
【図２】
2018112299.tif 000004
(57)【要約】【課題】従来のホッチキス針は銀色のものが主流であり白い紙に使用すると目立つ。整然と留められていない場合不快感を与え書類や作成物の付加価値を落としてしまう。【解決手段】ホッチキス針を白い素材で作成するか、従来のホッチキス針を白く塗り、白い紙に使用しても目立たない白いホッチキスを提供することにより、課題を解決する。【特許請求の範囲】
【請求項１】
白く塗られたホッチキス針
【請求項２】
白い素材で作られたホッチキス針
【発明の詳細な説明】
【技術分野】
【０００１】ホッチキスの針
【発明の概要】
【発明が解決しようとする課題】白いホッチキスの針を提供し白い紙に使用した際に目立たない様にする。
【課題を解決するための手段】
【０００１】ホッチキスの針を白く塗る。【０００２】白い素材でホッチキスの針を作る。
【発明の効果】
【０００１】本発明による白いホッチキス針を白い紙に使用することでホッチキス針が目立たなくキレイに見える。